(57)【特許請求の範囲】
【請求項１】
入力された照合用認証データを照合し照合結果が一致すれば電源制御装置に照合正常信号を送出し情報処理装置から終了通知信号を受けて入力された変更用認証データで記憶されている認証データを変更し認証データ変更終了信号を情報処理装置に送出する認証データ管理装置と、
前記認証データ管理装置からの照合正常信号を受けて情報処理装置に電源投入信号を送出し情報処理装置からの電源切断要求信号を受けて情報処理装置に電源切断信号を送出する電源制御装置と、
前記電源制御装置からの電源投入信号を受けて電源を投入して立ち上がり処理を実行しシステム終了時に前記認証データ管理装置に終了通知信号を送出し前記認証データ管理装置から認証データ変更終了信号を受けて前記電源制御装置に電源切断要求信号を送出し前記電源制御装置から電源切断信号を受けて電源を切断する情報処理装置と、
を備える認証データ更新方式。
【請求項２】
認証データ管理装置と電源制御装置と情報処理装置とを含むシステムの認証データ更新方法であって、
前記認証データ管理装置は、
入力した照合用認証データと登録されている認証データとを照合し、
照合結果が一致すれば前記電源制御装置に照合正常信号を送出し、
前記電源制御装置は、
前記照合正常信号を受けて前記情報処理装置に電源投入信号を送出し、
前記情報処理装置は、
前記電源投入信号を受けて電源を投入して起動し、
システムの開始処理を行い、
処理を実行し、
処理が終了するとシステムの終了処理を開始し、
システムの終了処理を一時中断して前記認証データ管理装置に終了通知信号を送出し、
前記認証データ管理装置は、
前記終了通知信号を受けて現在の認証データの確認処理画面を表示し、
現在の認証データを入力して変更前認証データの確認を行い、
確認正常の場合には認証データの変更処理画面を表示し、
入力した変更用認証データで前記登録されている認証データを書き替えて前記情報処理装置に認証データ変更終了信号を送出し、
前記情報処理装置は、
前記認証データ変更終了信号を受けてシステムの終了処理を再開し、
前記電源制御装置に電源切断要求信号を送出し、
前記電源制御装置は、
前記電源切断要求信号を受けて前記情報処理装置に電源切断信号を送出し、
前記情報処理装置は、
前記電源切断信号を受けて電源を切断して停止する、
ことを特徴とする認証データ更新方法。
【発明の詳細な説明】
【０００１】
【発明の属する技術分野】
本発明は、認証データの更新方式に関し、特にシステム終了時あるいはシステム開始時に強制的に認証データの変更を行う認証データの更新方式および方法に関する。
【０００２】
【従来の技術】
従来の暗証番号による認証によるコンピュータの不正使用の防止システムの一例が、特開平１０−２９３６２６号に記載されている。
【０００３】
特開平１０−２９３６２６号には、起動時あるいは終了時にパスワードを入力することでコンピュータシステムの不正を防止する情報処理装置の電源システムが開示されている。
【０００４】
【発明が解決しようとする課題】
しかしながら、従来の技術では、パスワードの変更については任意に任されているという問題点がある。そのため、パスワードが盗難されることによりシステムを不正に使用されることが避けられなかった。
【０００５】
本発明の目的は、上記の問題点を解決し、パスワード等の認証データを強制的に変更する手段を有する認証データ更新方式および方法を提供することにある。
【０００６】
【課題を解決するための手段】
本願第１の発明の認証データ更新方式は、入力された照合用認証データを照合し照合結果が一致すれば電源制御装置に照合正常信号を送出し情報処理装置から終了通知信号を受けて入力された変更用認証データで記憶されている認証データを変更し認証データ変更終了信号を情報処理装置に送出する認証データ管理装置と、前記認証データ管理装置からの照合正常信号を受けて情報処理装置に電源投入信号を送出し情報処理装置からの電源切断要求信号を受けて情報処理装置に電源切断信号を送出する電源制御装置と、前記電源制御装置からの電源投入信号を受けて電源を投入して立ち上がり処理を実行しシステム終了時に前記認証データ管理装置に終了通知信号を送出し前記認証データ管理装置から認証データ変更終了信号を受けて前記電源制御装置に電源切断要求信号を送出し前記電源制御装置から電源切断信号を受けて電源を切断する情報処理装置と、を備える。
【０００７】
本願第２の発明の認証データ更新方式は、入力された照合用認証データを照合し照合結果が一致すれば入力された変更用認証データで記憶されている認証データを変更し認証データ変更終了信号を電源制御装置に送出する認証データ管理装置と、前記認証データ管理装置からの認証データ変更終了信号を受けて情報処理装置に電源投入信号を送出し情報処理装置からの電源切断要求信号を受けて情報処理装置に電源切断信号を送出する電源制御装置と、前記電源制御装置からの電源投入信号を受けて電源を投入して立ち上がり処理を実行しシステム終了時に前記電源制御装置に電源切断要求信号を送出し前記電源制御装置から電源切断信号を受けて電源を切断する情報処理装置と、を備える。
【０００８】
本願第３の発明の認証データ更新方法は、認証データ管理装置と電源制御装置と情報処理装置とを含むシステムの認証データ更新方法であって、前記認証データ管理装置は、入力した照合用認証データと登録されている認証データとを照合し、照合結果が一致すれば前記電源制御装置に照合正常信号を送出し、前記電源制御装置は、前記照合正常信号を受けて前記情報処理装置に電源投入信号を送出し、前記情報処理装置は、前記電源投入信号を受けて電源を投入して起動し、システムの開始処理を行い、処理を実行し、処理が終了するとシステムの終了処理を開始し、システムの終了処理を一時中断して前記認証データ管理装置に終了通知信号を送出し、前記認証データ管理装置は、前記終了通知信号を受けて現在の認証データの確認処理画面を表示し、現在の認証データを入力して変更前認証データの確認を行い、確認正常の場合には認証データの変更処理画面を表示し、入力した変更用認証データで前記登録されている認証データを書き替えて前記情報処理装置に認証データ変更終了信号を送出し、前記情報処理装置は、前記認証データ変更終了信号を受けてシステムの終了処理を再開し、前記電源制御装置に電源切断要求信号を送出し、前記電源制御装置は、前記電源切断要求信号を受けて前記情報処理装置に電源切断信号を送出し、前記情報処理装置は、前記電源切断信号を受けて電源を切断して停止する、ことを特徴とする。
【０００９】
本願第４の発明の認証データ更新方法は、認証データ管理装置と電源制御装置と情報処理装置とを含むシステムの認証データ更新方法であって、前記認証データ管理装置は、入力した照合用認証データと登録されている認証データとを照合し、照合結果が一致すれば認証データの変更処理画面を表示し、入力した変更用認証データで前記登録されている認証データを書き替えて前記電源制御装置に認証データ変更終了信号を送出し、前記電源制御装置は、前記認証データ変更終了信号を受けて前記情報処理装置に電源投入信号を送出し、前記情報処理装置は、前記電源投入信号を受けて電源を投入して起動し、システムの開始処理を行い、処理を実行し、処理が終了するとシステムの終了処理を行って前記電源制御装置に電源切断要求信号を送出し、前記電源制御装置は、前記電源切断要求信号を受けて前記情報処理装置に電源切断信号を送出し、前記情報処理装置は、前記電源切断信号を受けて電源を切断して停止する、ことを特徴とする。
【００１７】
【発明の実施の形態】
本発明の認証データ更新方式は、システムを終了する毎にあるいはシステムを開始する毎に、認証データを強制的に変更することで、認証データ盗難によるシステムの不正使用を防止することを特徴とする。
【００１８】
本発明の第１の実施の形態について、図面を用いて説明する。
【００１９】
図１は、本発明の第１の実施の形態の構成を示す図である。
【００２０】
図２は、認証データ管理装置の構成を示すブロック図である。
【００２１】
図３は、情報処理装置の構成を示すブロック図である。
【００２２】
図１を参照すると、本発明の第１の実施の形態は、認証データ管理装置１と、電源制御装置２と、情報処理装置３と、から構成されている。
【００２３】
認証データ管理装置１は、認証データの管理を行う。具体的には、入力された照合用認証データと記憶されている認証データとを照合し、一致すれば電源制御装置２に照合正常信号を送出する。また、情報処理装置３から終了通知信号を受け、入力された変更用認証データで記憶されている認証データを変更する。さらに、認証データ変更終了信号を情報処理装置３に送出する。
【００２４】
図２を参照すると、認証データ管理装置１は、入力手段１１と登録手段１２と照合手段１３と変更手段１４とモード切換手段１５と記憶手段１６とから成っている。
【００２５】
入力手段１１は、認証データを入力する。認証データは、パスワードと利用者ＩＤ（識別子）から構成されていてもよいし、パスワードのみでもよい。
【００２６】
登録手段１２は、入力手段１１から入力された登録用認証データを記憶手段１６に新規登録する。登録手段１２は、モード切換手段１５が新規登録モード時に機能する。なお、登録手段１２の動作は特別のセキュリティでガードされる。
【００２７】
照合手段１３は、入力手段１１から入力された照合用認証データと記憶手段１６に登録されている認証データとを照合し、照合結果が一致すれば、正常とみなして電源制御装置２に照合正常信号を送出する。照合結果が不一致のときは、異常終了する。照合手段１３は、モード切換手段１５が照合モード時に機能する。
【００２８】
変更手段１４は、入力手段１１から入力された変更用認証データで記憶手段１６に登録されている認証データを変更する。認証データの変更範囲は、パスワードのみでもよいし、パスワードおよび利用者ＩＤでもよい。入力された変更用認証データが現在の認証データと等しい場合には、変更用認証データの再入力となる。変更手段１４は、変更に先立ち現在の認証データの確認を行い、現在の認証データの確認ができたものに対して現在の認証データの変更を行う。変更手段１４は、情報処理装置３からの終了通知信号を検知し起動する。変更手段１４が起動すると、モード切換手段１５は変更モードとなる。変更手段１４は、認証データの変更処理が終了すると、情報処理装置３に認証データ変更終了信号を送出する。
【００２９】
モード切換手段１５は、処理モードを切り換える。処理モードには、登録手段１２が動作する新規登録モードと、照合手段１３が動作する照合モードと、変更手段１４が動作する変更モードとがある。
【００３０】
記憶手段１６は、認証データを記憶する。記憶手段１６はバッテリを備え、書き込まれた情報を保持する。
【００３１】
電源制御装置２は、情報処理装置３の電源を制御する。具体的には、認証データ管理装置１から照合正常信号を受けて情報処理装置３に電源投入信号を送出する。また、情報処理装置３から電源切断要求信号を受けて情報処理装置３に電源切断信号を送出する。
【００３２】
情報処理装置３は、電源制御装置２から電源投入信号を受けて電源を投入して起動し、システム開始処理を行い、予め定められた処理を実行し、システム終了処理を行い、電源制御装置２に電源切断要求信号を送出し電源制御装置２から電源切断信号を受けて電源を切断し停止する。
【００３３】
図３を参照すると、情報処理装置３は、システム開始手段３１と処理手段３２とシステム終了手段３３と記憶手段３４と電源手段３５とから成っている。
【００３４】
システム開始手段３１は、システムの開始処理を行い、処理手段３２に制御を渡す。
【００３５】
処理手段３２は、予め定められた処理を実行する。全ての処理が終了したときに、システム終了手段３３に制御を渡す。
【００３６】
システム終了手段３３は、システムの終了処理を行い、認証データ管理装置１に対して終了通知信号を送出して処理を一時中断し、認証データ管理装置１から認証データ変更終了信号を受けて処理を再開し、電源制御装置２に電源切断要求信号を送出する。
【００３７】
記憶手段３４は、システム開始手段３１，処理手段３２およびシステム終了手段３３が使用するメモリであり、情報を記憶する。
【００３８】
電源手段３５は、電源制御装置２から電源投入信号を受けて情報処理装置３内の各部に電源を供給する。また、電源制御装置２から電源切断信号を受けて電源の供給を停止する。
【００３９】
本発明の第１の実施の形態の動作について、図１〜図４を用いて説明する。
【００４０】
図４は、第１の実施の形態の動作の流れを示す図である。
【００４１】
先ず、照合手段１３は、入力手段１１から入力した照合用認証データと記憶手段１６に登録されている認証データとを照合する（ステップ４０１）。
【００４２】
照合手段１３での照合結果が一致すれば、照合手段１３から電源制御装置２に照合正常信号を送出し、電源制御装置２は情報処理装置３に電源投入信号を送出し、情報処理装置３は電源を投入し起動する（ステップ４０２）。
【００４３】
システム開始手段３１はシステムの開始処理を行い、処理手段３２は処理を実行する（ステップ４０３〜４０４）。
【００４４】
処理手段３２の処理が終了すると、システム終了手段３３はシステムの終了処理を開始する（ステップ４０５）。
【００４５】
システム終了手段３３はシステムの終了処理を一時中断し、変更手段１４に終了通知信号を送出する（ステップ４０６）。
【００４６】
変更手段１４は現在の認証データの確認処理画面を表示する（ステップ４０７）。
【００４７】
現在の認証データを入力して変更前認証データの確認を行う。確認異常の場合には、ステップ４０７に戻る（ステップ４０８）。現在の認証データが確認できるまでステップ４０７〜４０８を繰り返す。
【００４８】
確認正常の場合には、認証データの変更処理画面を表示し、入力した変更用認証データで記憶手段１６に登録されている認証データを書き替え、システム終了手段３３に認証データ変更終了信号を送出する（ステップ４０９）。
【００４９】
システム終了手段３３はシステムの終了処理を再開し、電源制御装置２に電源切断要求信号を送出する（ステップ４１０）。
【００５０】
このように、認証データの変更を行わなければシステムの終了ができないので、システム終了した時点では必ず認証データが変更されている。次回のシステム立ち上げには新しい認証データで照合が行われる。従って、認証データの盗難によるシステムの不正使用を防止できる効果がある。
【００５１】
また、システムが立ち上がった後で不正使用した者がシステム終了を行う場合には、認証データの変更前に行う現在の認証データ確認処理が正常終了しないことでシステムの終了処理が終了しないため、不正使用が発覚するという効果も生じる。
【００５２】
次に、本発明の第２の実施の形態について、図面を用いて説明する。
【００５３】
図５は、本発明の第２の実施の形態の構成を示す図である。
【００５４】
図６は、認証データ管理装置の構成を示すブロック図である。
【００５５】
図７は、情報処理装置の構成を示すブロック図である。
【００５６】
図５を参照すると、本発明の第２の実施の形態は、認証データ管理装置４と、電源制御装置２と、情報処理装置５と、から構成されている。
【００５７】
本発明の第２の実施の形態は、図１で示す第１の実施の形態の認証データ管理装置１を認証データ管理装置４に、情報処理装置３を情報処理装置５に、置換したものである。
【００５８】
ここでは、第１の実施の形態と異なる認証データ管理装置４および情報処理装置５について説明する。
【００５９】
認証データ管理装置４は、認証データの管理を行う。具体的には、入力された照合用認証データと記憶されている認証データとを照合し、一致すれば電源制御装置２に照合正常信号を送出する。また、情報処理装置５から終了通知信号を受けて、入力された変更用認証データで記憶されている認証データを変更し、認証データ変更終了信号を情報処理装置５送出する。さらに、認証データの変更に失敗したときには、変更異常信号を情報処理装置５に送出する。
【００６０】
図６を参照すると、認証データ管理装置４は、入力手段１１と登録手段１２と照合手段１３と変更手段４４とモード切換手段１５と記憶手段１６とから成っている。
【００６１】
第１の実施の形態と異なる変更手段４４について説明する。
【００６２】
変更手段４４は、入力手段１１から入力された変更用認証データで記憶手段１６に登録されている認証データを変更する。認証データの変更範囲は、パスワードのみでもよいし、パスワードおよび利用者ＩＤでもよい。入力された変更用認証データが現在の認証データと等しい場合には、変更用認証データの再入力となる。変更手段４４は、変更に先立ち現在の認証データの確認を行い、現在の認証データの確認ができたものに対して現在の認証データの変更を行う。変更手段４４は、情報処理装置５から終了通知信号を検知し起動する。変更手段４４が起動すると、モード切換手段１５は変更モードとなる。変更手段４４は、認証データの変更処理が終了すると、認証データ変更終了信号を情報処理装置５に送出する。なお、変更手段４４は、情報処理装置５から終了通知信号を検知するときに同時に確認許容回数も受信し、現在の認証データの確認に失敗したときに確認許容回数分だけ現在の認証データの確認を繰り返し、それでも現在の認証データの確認に失敗したときは変更異常信号を情報処理装置５に送出する。
【００６３】
情報処理装置５は、電源制御装置２から電源投入信号を受けて電源を投入して起動し、システム開始処理を行い、予め定められた処理を実行し、システム終了処理を行い、電源制御装置２に電源切断要求信号を送出し電源制御装置２から電源切断信号を受けて電源を切断し停止する。
【００６４】
図７を参照すると、情報処理装置５は、システム開始手段３１と処理手段３２とシステム終了手段５３と記憶手段３４と電源手段３５と終了キャンセル手段５６とから成っている。
【００６５】
第１の実施の形態と異なるシステム終了手段５３と終了キャンセル手段５６について説明する。
【００６６】
システム終了手段５３は、システムの終了処理を行い、認証データ管理装置４に対して終了通知信号および確認許容回数を送出して処理を一時中断し、認証データ管理装置４から認証データ変更終了信号を受けて処理を再開し、電源制御装置２に電源切断要求信号を送出する。
【００６７】
終了キャンセル手段５６は、認証データ管理装置４から変更異常信号を受けたときに、一時中断していたシステムの終了処理をキャンセルし、認証データの変更に失敗した旨をバッテリを備える記憶部（図示せず）に記憶する。その後、システム終了手段５３に制御を渡す。システム終了手段５３は、システム終了処理を最初からやり直す。
【００６８】
本発明の第２の実施の形態の動作について、図５〜図８を用いて説明する。
【００６９】
図８は、第２の実施の形態の動作の流れを示す図である。
【００７０】
ステップ８０１〜８０４は、第１の実施の形態における図４のステップ４０１〜４０４と同様である。
【００７１】
処理手段３２の処理が終了すると、システム終了手段５３はシステムの終了処理を開始する（ステップ８０５）。
【００７２】
システム終了手段５３はシステムの終了処理を一時中断し、変更手段４４に終了通知信号および確認許容回数を送出する（ステップ８０６）。
【００７３】
変更手段４４は現在の認証データの確認処理画面を表示する（ステップ８０７）。
【００７４】
現在の認証データを入力して変更前認証データの確認を行い、確認異常の場合には、ステップ８１１に進む（ステップ８０８）。
【００７５】
確認正常の場合には、認証データの変更処理画面を表示し、入力した変更用認証データで記憶手段１６に登録されている認証データを書き替え、システム終了手段５３に認証データ変更終了信号を送出する（ステップ８０９）。
【００７６】
システム終了手段５３はシステムの終了処理を再開し、電源制御装置２に電源切断要求信号を送出する（ステップ８１０）。
【００７７】
確認異常の場合には、確認回数をカウントアップする（ステップ８１１）。
【００７８】
確認回数が確認許容回数を超えたかをチェックし、超えていない場合にはステップ８０７に戻り、超えた場合には終了キャンセル手段５６に変更異常信号を送出する（ステップ８１２）。
【００７９】
終了キャンセル手段５６は、変更手段４４から変更異常信号を受けたときに、一時中断していたシステムの終了処理をキャンセルし、認証データの変更に失敗した旨をバッテリを備える記憶部に記憶し、その後ステップ８０５に戻る（ステップ８１３）。
【００８０】
このように、第２の実施の形態では、第１の実施の形態での効果に加えて、不正使用をロギングできることにより、システム管理者がシステムの使用状況をチェックすることができるという効果も持つ。
【００８１】
次に、本発明の第３の実施の形態について、図面を用いて説明する。
【００８２】
図９は、本発明の第２の実施の形態の構成を示す図である。
【００８３】
図１０は、認証データ管理装置の構成を示すブロック図である。
【００８４】
図１１は、情報処理装置の構成を示すブロック図である。
【００８５】
図９を参照すると、本発明の第３の実施の形態は、認証データ管理装置６と、電源制御装置７と、情報処理装置８と、から構成されている。
【００８６】
認証データ管理装置６は、認証データの管理を行う。具体的には、情報処理装置８から開始通知信号を受け、入力された照合用認証データと記憶されている認証データとを照合し、一致すれば入力された変更用認証データで記憶されている認証データを変更する。さらに、認証データ変更終了信号を情報処理装置８に送出する。
【００８７】
図１０を参照すると、認証データ管理装置６は、入力手段１１と登録手段１２と照合手段６３と変更手段６４とモード切換手段１５と記憶手段１６とから成っている。
【００８８】
第１の実施の形態と異なる照合手段６３と変更手段６４とについて説明する。
【００８９】
照合手段６３は、情報処理装置８から開始通知信号を受けて起動され、入力手段１１から入力された照合用認証データと記憶手段１６に登録されている認証データとを照合する。照合結果が一致のときは、変更手段６４を起動する。照合結果が不一致のときは、再度入力手段１１から認証データを入れ直す。なお、照合手段６３が起動すると、モード切換手段１５が照合モードとなる。
【００９０】
変更手段６４は、入力手段１１から入力された変更用認証データで記憶手段１６に登録されている認証データを変更する。入力された変更用認証データが現在の認証データと等しい場合には、変更用認証データの再入力となる。変更手段６４が起動すると、モード切換手段１５は変更モードとなる。変更手段６４は、認証データの変更処理が終了すると、認証データ変更終了信号を情報処理装置８に送出する。
【００９１】
電源制御装置７は、情報処理装置８の電源を制御する。具体的には、電源制御装置７の電源が投入されると、情報処理装置８に電源投入信号を送出する。また、情報処理装置８から電源切断要求信号を受けて情報処理装置８に電源切断信号を送出する。
【００９２】
情報処理装置８は、電源制御装置７から電源投入信号を受けて電源を投入して起動し、システム開始処理を行い、予め定められた処理を実行し、システム終了処理を行い、電源制御装置７に電源切断要求信号を送出し電源制御装置７から電源切断信号を受けて電源を切断し停止する。
【００９３】
図１１を参照すると、情報処理装置８は、システム開始手段８１と処理手段３２とシステム終了手段８３と記憶手段３４と電源手段３５とから成っている。
【００９４】
第１の実施の形態と異なるシステム開始手段８１とシステム終了手段８３とについて説明する。
【００９５】
システム開始手段８１は、システムの開始処理を行い、認証データ管理装置６に対して開始通知信号を送出して処理を一時中断し、認証データ管理装置６から認証データ変更終了信号を受けて処理を再開し、処理手段３２に制御を渡す。
【００９６】
システム終了手段８３は、システムの終了処理を行い、電源制御装置７に電源切断要求信号を送出する。
【００９７】
本発明の第３の実施の形態の動作について、図９〜図１２を用いて説明する。
【００９８】
図１２は、第３の実施の形態の動作の流れを示す図である。
【００９９】
先ず、電源制御装置７は情報処理装置８に電源投入信号を送出し、情報処理装置８は電源を投入し起動する（ステップ１２０１）。
【０１００】
システム開始手段８１は、システムの開始処理を開始する（ステップ１２０２）。
【０１０１】
システム開始手段８１はシステムの開始処理を一時中断し、照合手段６３に開始通知信号を送出する（ステップ１２０３）。
【０１０２】
照合手段６３は、入力手段１１から入力した照合用認証データと記憶手段１６に登録されている認証データとを照合する（ステップ１２０４）。
【０１０３】
照合異常の場合には、ステップ１２０４に戻る（ステップ１２０５）。照合正常となるまでステップ１２０４〜１２０５を繰り返す。
【０１０４】
照合正常の場合には、認証データの変更処理画面を表示し、入力した変更用認証データで記憶手段１６に登録されている認証データを書き替え、システム開始手段８１に認証データ変更終了信号を送出する（ステップ１２０６）。
【０１０５】
システム開始手段８１は、システムの開始処理を再開する（ステップ１２０７）。
【０１０６】
システムの開始処理が終了すると、処理手段３２は処理を実行する（ステップ１２０８）。
【０１０７】
処理手段３２の処理が終了すると、システム終了手段８３はシステムの終了処理を行い、電源制御装置７に電源切断要求信号を送出する（ステップ１２０９）。
【０１０８】
このように、認証データの変更を行わなければシステムの開始ができないので、必ず認証データの変更が行われる。また、システムが終了した時点では認証データが変更されているので、次回のシステム立ち上げには新しい認証データで照合が行われる。従って、認証データの盗難によるシステムの不正使用を防止できる効果がある。
【０１０９】
また、認証データの変更前に行う現在の認証データの照合処理が正常終了しないとシステムの開始処理が終了しないため、この時点で不正使用が発覚するという効果も生じる。
【０１１０】
なお、第３の実施の形態においては、情報処理装置８の電源を投入して起動した後のシステムの開始処理の途中において認証データの照合および変更を行う形態になっているが、認証データ確認装置６で認証データの照合および変更を行った後に、情報処理装置８の電源を投入してシステムの開始処理を開始するようにしてもよい。
【０１１１】
次に、本発明の第４の実施の形態について説明する。
【０１１２】
第４の実施の形態は、第３の実施の形態における認証データの照合処理（図１２のステップ１２０４〜１２０５）に、第２の実施の形態における確認許容回数処理（図８のステップ８０８、８１１〜８１３）を取り入れた構成である。
【０１１３】
この場合、システム開始時の不正使用をロギングできる効果がある。
【０１１４】
【発明の効果】
本発明の効果は、認証データの盗難よるシステムの不正使用を防ぐとともに、システム利用者のセキュリティ意識を高めることができることである。
【０１１５】
その理由は、システム終了時あるいはシステム開始時に、強制的に認証データの変更を促す手段を設けたからである。
【図面の簡単な説明】
【図１】本発明の第１の実施の形態の構成を示す図
【図２】認証データ管理装置の構成を示すブロック図
【図３】情報処理装置の構成を示すブロック図
【図４】第１の実施の形態の動作の流れを示す図
【図５】本発明の第２の実施の形態の構成を示す図
【図６】認証データ管理装置の構成を示すブロック図
【図７】情報処理装置の構成を示すブロック図
【図８】第２の実施の形態の動作の流れを示す図
【図９】本発明の第３の実施の形態の構成を示す図
【図１０】認証データ管理装置の構成を示すブロック図
【図１１】情報処理装置の構成を示すブロック図
【図１２】第３の実施の形態の動作の流れを示す図
【符号の説明】
１    認証データ管理装置
２    電源制御装置
３    情報処理装置
４    認証データ管理装置
５    情報処理装置
６    認証データ管理装置
７    電源制御装置
８    情報処理装置
１１    入力手段
１２    登録手段
１３    照合手段
１４    変更手段
１５    モード切換手段
１６    記憶手段
３１    システム開始手段
３２    処理手段
３３    システム終了手段
３４    記憶手段
３５    電源手段
４４    変更手段
５３    システム終了手段
５６    終了キャンセル手段
６３    照合手段
６４    変更手段
８１    システム開始手段
８３    システム終了手段
【図１】
0003709318.tif 000002
【図２】
0003709318.tif 000003
【図３】
0003709318.tif 000004
【図４】
0003709318.tif 000005
【図５】
0003709318.tif 000006
【図６】
0003709318.tif 000007
【図７】
0003709318.tif 000008
【図８】
0003709318.tif 000009
【図９】
0003709318.tif 000010
【図１０】
0003709318.tif 000011
【図１１】
0003709318.tif 000012
【図１２】
0003709318.tif 000013